(57)【特許請求の範囲】
【請求項１】
端末間でメールを転送するシステムにおけるメール転送方法であって、
前記システムは、第１の臨時メール管理サーバ（ＰＯＰ(Post Office Protocol)）サーバ）と、第１のメール管理サーバ（ＳＭＴＰ(Simple Mail Transfer Protocol)サーバ）とを有し、
第１の臨時メール管理サーバが、第１の端末へ第１の臨時カウントを発行すると共に、第１の端末から既存アカウントを取得する第１のステップと、
第１の臨時メール管理サーバが、第１の臨時アカウント及び既存アカウントを含むアカウント登録要求を、第１のメール管理サーバへ送信する第２のステップと、
第１のメール管理サーバが、第１の臨時アカウント及び前記アカウントを対応付けて登録する第３のステップと、
第１のメール管理サーバが、第２の端末から受信したメールについて、そのメールの宛先アドレスが既存アカウントと一致する場合、当該宛先アドレスを第１の臨時アカウントに変換し、第１の臨時メール管理サーバへ転送する第４のステップと、
第１の臨時メール管理サーバが、受信した前記メールを蓄積する第５のステップと
を有し、第１の端末は、既存アカウントに基づく前記メールを、第１の臨時アカウントを用いて、第１の臨時メール管理サーバから取得することを特徴とするメール転送方法。
【請求項２】
第１のメール管理サーバが、第１の端末から受信したメールについて、そのメールの送信元アドレスが第１の臨時アカウントと一致する場合、当該送信元アドレスを既存アカウントに変換し、当該メールを転送することを特徴とする請求項１に記載のメール転送方法。
【請求項３】
前記メール転送システムは、第２の臨時メール管理サーバと第２のメール管理サーバとを更に有し、
第１の端末が、第１の臨時メール管理サーバと通信可能な位置から、第２の臨時メール管理サーバと通信可能な位置へ移動した際に、
第２の臨時メール管理サーバが、第１の端末へ第２の臨時カウントを発行すると共に、第１の端末から前記既存アカウントを取得する第６のステップと、
第２の臨時メール管理サーバが、第２の臨時アカウント及び前記既存アカウントを含むアカウント登録要求を、第２のメール管理サーバへ送信する第７のステップと、
第２のメール管理サーバが、第２の臨時アカウント及び既存アカウントを対応付けて登録する第８のステップと、
第２のメール管理サーバが、第２の臨時アカウント及び既存アカウントを含むアカウント登録要求を、第１のメール管理サーバへ送信する第９のステップと、
第１のメール管理サーバが、第２の端末から受信したメールについて、そのメールの宛先アドレスが前記既存アカウントと一致する場合、当該宛先アドレスを第２の臨時アカウントに変換し、第２のメール管理サーバへ送信する第１０のステップと、
第２のメール管理サーバが、第１のメール管理サーバから受信した前記メールを、第２の臨時メール管理サーバへ送信する第１１のステップと、
第２の臨時メール管理サーバが、受信した前記メールを蓄積する第１３のステップと
を有し、第１の端末が、既存アカウントに基づく前記メールを、第２の臨時アカウントを用いて、第２の臨時メール管理サーバから取得することを特徴とする請求項１又は２に記載のメール転送方法。
【請求項４】
第６のステップについて、第２の臨時メール管理サーバが、第１の端末から、先の第１の臨時アカウントを更に取得し、
第７のステップについて、第２の臨時メール管理サーバが、第２のメール管理サーバへ送信するアカウント登録要求に、第１の臨時アカウントを更に含み、
第９のステップについて、第２のメール管理サーバが、第１の臨時アカウントに基づいて、その第１の臨時アカウントを発行した第１の臨時メール管理サーバと通信する第１のメール管理サーバを特定する
ことを特徴とする請求項３に記載のメール転送方法。
【請求項５】
第９のステップと第１０のステップとの間で、
第１のメール管理サーバが、第１の臨時メール管理サーバへ、アカウント削除要求を送信するステップと、
第１の臨時メール管理サーバが、第１の臨時アカウント及び前記既存アカウントを削除するステップと
を更に有することを特徴とする請求項３又は４に記載のメール転送方法。
【請求項６】
第１のステップ及び／又は第６のステップについて、前記臨時メール管理サーバは、第１の端末のＷＷＷ(World Wide Web)ブラウザに対して、Ｗｅｂページを送信することによって、前記臨時アカウントを発行し且つ前記既存アカウントを取得することを特徴とする請求項１から５のいずれか１項に記載のメール転送方法。
【請求項７】
端末間でメールを転送するメール転送システムであって、
臨時メール管理サーバ（ＰＯＰ(Post Office Protocol)）サーバ）及びメール管理サーバ（ＳＭＴＰ(Simple Mail Transfer Protocol)サーバ）を更に有し、
前記臨時メール管理サーバは、
前記端末へ第１の臨時カウントを発行すると共に、当該端末から既存アカウントを取得するアカウント取得手段と、
前記臨時アカウント及び前記既存アカウントを含むアカウント登録要求を、前記メール管理サーバへ送信する登録要求送信手段と、
前記メール管理サーバから受信したメールを蓄積するメール蓄積手段と、
前記端末に対して、臨時アカウントを用いて、既存アカウントに基づく前記メールを取得させるメール転送手段と
を有し、
前記メール管理サーバは、
前記アカウント登録要求を受信した際に、前記臨時アカウント及び前記既存アカウントを対応付けて登録するアカウント登録手段と、
第２の端末から受信したメールについて、そのメールの宛先アドレスが前記既存アカウントと一致する場合、当該宛先アドレスを臨時アカウントに変換するアカウント変換手段と、
アカウントが変換されたメールを転送するメール転送手段と
を有することを特徴とするメール転送システム。
【請求項８】
前記メール管理サーバの前記アカウント変換手段は、第１の端末から受信したメールについて、そのメールの送信元アドレスが第１の臨時アカウントと一致する場合、当該送信元アドレスを既存アカウントに変換することを特徴とする請求項７に記載のメール転送システム。
【請求項９】
前記メール管理サーバは、
前記臨時アカウント及び前記既存アカウントを含むアカウント登録要求を、他のメール管理サーバへ送信するサーバ登録要求手段と、
端末から受信したメールについて、そのメールの宛先アドレスが前記既存アカウントと一致する場合、当該宛先アドレスを臨時アカウントに変換し、他のメール管理サーバへ送信するサーバメール転送手段と
を更に有することを特徴とする請求項７又は８に記載のメール転送システム。
【請求項１０】
前記臨時メール管理サーバの前記アカウント取得手段は、前記端末から、先の臨時アカウントを更に取得し、
前記臨時メール管理サーバの前記登録要求送信手段は、他のメール管理サーバへ送信するアカウント登録要求に、先の臨時アカウントを更に含み、
前記メール管理サーバは、先の臨時アカウントに基づいて、先の臨時アカウントを発行した臨時メール管理サーバと通信する他のメール管理サーバを特定する管理サーバ特定手段を更に有することを特徴とする請求項９に記載のメール転送システム。
【請求項１１】
前記メール管理サーバは、他のメール管理サーバから前記アカウント登録要求を受信した際に、前記臨時メール管理サーバへ、アカウント削除要求を送信するアカウント削除要求送信手段を更に有し、
前記臨時メール管理サーバは、第１の臨時アカウント及び前記既存アカウントを削除するアカウント削除手段を更に有する
ことを特徴とする請求項９又は１０に記載のメール転送システム。
【請求項１２】
前記臨時メール管理サーバの前記アカウント取得手段は、端末のＷＷＷブラウザに対して、Ｗｅｂページを送信することによって、前記臨時アカウントを発行し且つ前記既存アカウントを取得することを特徴とする請求項７から１１のいずれか１項に記載のメール転送システム。
【発明の詳細な説明】
【技術分野】
【０００１】
本発明は、電子メールを転送する技術に関する。特に、メールの宛先アドレス又は送信元アドレスを、ネットワークに接続されたサーバによって変換する技術に関する。
【背景技術】
【０００２】
携帯電話機におけるメール転送システムとして、メールアドレスの自動変換技術がある（例えば特許文献１参照）。この技術によれば、携帯電話機のキャリア（通信会社）を変更した場合であっても、ユーザは、先のキャリアのドメインに基づくメールアドレスを、継続して使用することができる。即ち、メールアドレスを変更する必要がない。また、ユーザが、第三者に公開するパブリックメールアドレスと、ユーザ自ら異なるメールサーバを使い分けるためのプライベートメールアドレスとを変換する用途にも適用することができる。
【０００３】
図１は、従来技術におけるシステム構成図である。
【０００４】
図１によれば、端末１Ａが、端末１Ｂへ向けてメールを送信している。端末１Ａはゲートウェイ２Ａを介してインターネットに接続され、端末１Ｂはゲートウェイ２Ｂを介してインターネットに接続されている。ここで、メール転送システムには、端末１Ａ側のメールサーバ３ａと、端末１Ｂ側のメールサーバ３ｂと、メールアドレス変換サーバ４とが備えられている。
【０００５】
端末１Ａは、ゲートウェイ２Ａを介して、メールサーバ３ａへメールを送信する。例えば、端末１Ａを操作するユーザは、パブリックメールアドレス(tasaka@auone.jp)に対してプライベートメールアドレス(xxx@kddi.com)を使用しているとする。この場合、送信元アドレスをプライベートメールアドレスとすると、このメールには、送信元アドレス(xxx@kddi.com)及び宛先アドレス(sato@auone.jp)が含まれる。
【０００６】
メールサーバ３ａは、ＳＭＴＰ(Simple Mail Transfer Protocol)サーバとして機能し、端末１Ａから受信したメールを、メールアドレス変換サーバ４へ送信する。
【０００７】
メールアドレス変換サーバ４は、受信したメールの送信元アドレスを、プライベートメールアドレス(xxx@kddi.com)からパブリックメールアドレス(tasaka@auone.jp)へ変換し、そのメールを転送する。
【０００８】
このメールは、ＰＯＰ(Post Office Protocol)サーバとして機能するメールサーバ３ｂによって、受信され且つ蓄積される。そして、端末１Ｂは、ゲートウェイ２Ｂを介して、メールサーバ３ｂにアクセスすることによって、そのメールを取得することができる。
【０００９】
一方で、端末１Ｂは、パブリックメールアドレス(tasaka@auone.jp)を宛先アドレスとするメールを、端末１Ａへ向けて送信することができる。メールアドレス変換サーバ４は、受信したメールの宛先アドレスをプライベートメールアドレス(xxx@kddi.com)に変換し、そのメールを転送する。
【００１０】
また、他の従来技術として、特定メール配信サーバを介在させることによって、既存の著名なドメイン名とは全く関係の無い文字列を、メールアドレスとして用いる技術がある（例えば特許文献２参照）。この技術によれば、具体的には、端末が、ユーザ所有のメールアドレスを、特定メール配信サーバのドメインに変換する。端末は、そのメールアドレスを送信元アドレスとし、且つ、宛先アドレスの末尾に所定の文字列を付加したメールを、特定メール配信サーバへ送信する。特定メール配信サーバは、そのメールについて、送信元メールアドレスを所定の文字列に変換し、宛先メールアドレスの末尾の所定の文字列を削除する。そして、特定メール配信サーバは、そのメールを、宛先メールアドレスへ向けて送信する。この技術によれば、迷惑メールの原因となる送信元アドレスが、相手方端末に知られないようにすることができる。
【先行技術文献】
【特許文献】
【００１１】
【特許文献１】特開２００８−１２３３９１号公報
【特許文献２】特開２００６−０８０６９１号公報
【発明の概要】
【発明が解決しようとする課題】
【００１２】
特許文献１に記載された技術によれば、メールアドレス変換サーバは、アドレス変換テーブルを有し、プライベートメールアドレスとパブリックメールアドレスとを対応付けて登録している。この場合、アドレス変換テーブルは、キャリアのオペレータによって更新される。しかしながら、オペレータがパブリック／プライベートメールアドレスを予め知る必要があり、メールアドレスが頻繁に変更される場合には、オペレータの更新作業が煩わしくなる。
【００１３】
特許文献２に記載された技術によれば、ユーザ操作に基づく端末から、パブリック／プライベートメールアドレスを、メールアドレス変換サーバへ予め登録することができる。しかしながら、結局、ユーザは、端末を用いて、パブリック／プライベートメールアドレスを予め登録する必要があり、ユーザ自身の更新作業が煩わしくなる。
【００１４】
また、例えば災害時のような緊急時に、既存使用のメールサーバがダウンしたり、特定のメールサーバに負荷が集中する場合がある。そのために、臨時的にメールサーバを急遽設置する必要性もあるが、この場合、一般的に、ドメインが変更されるので、メールアドレスも変更する必要性が生じる。
【００１５】
そこで、本発明は、臨時に異なるメールサーバを設置することでき、その臨時アカウントが設定又は変更された場合であっても、ユーザ自身のアカウントの登録操作が容易となるメール転送システム及び方法を提供することを目的とする。
【課題を解決するための手段】
【００１６】
本発明によれば、端末間でメールを転送するシステムにおけるメール転送方法であって、
システムは、第１の臨時メール管理サーバ（ＰＯＰ(Post Office Protocol)）サーバ）と、第１のメール管理サーバ（ＳＭＴＰ(Simple Mail Transfer Protocol)サーバ）とを有し、
第１の臨時メール管理サーバが、第１の端末へ第１の臨時カウントを発行すると共に、第１の端末から既存アカウントを取得する第１のステップと、
第１の臨時メール管理サーバが、第１の臨時アカウント及び既存アカウントを含むアカウント登録要求を、第１のメール管理サーバへ送信する第２のステップと、
第１のメール管理サーバが、第１の臨時アカウント及びアカウントを対応付けて登録する第３のステップと、
第１のメール管理サーバが、第２の端末から受信したメールについて、そのメールの宛先アドレスが既存アカウントと一致する場合、当該宛先アドレスを第１の臨時アカウントに変換し、第１の臨時メール管理サーバへ転送する第４のステップと、
臨時メール管理サーバが、受信したメールを蓄積する第５のステップと
を有し、第１の端末は、既存アカウントに基づくメールを、第１の臨時アカウントを用いて、第１の臨時メール管理サーバから取得することを特徴とする。
【００１７】
本発明のメール転送方法における他の実施形態によれば、第１のメール管理サーバが、第１の端末から受信したメールについて、そのメールの送信元アドレスが第１の臨時アカウントと一致する場合、当該送信元アドレスを既存アカウントに変換し、当該メールを転送することも好ましい。
【００１８】
本発明のメール転送方法における他の実施形態によれば、
メール転送システムは、第２の臨時メール管理サーバと第２のメール管理サーバとを更に有し、
第１の端末が、第１の臨時メール管理サーバと通信可能な位置から、第２の臨時メール管理サーバと通信可能な位置へ移動した際に、
第２の臨時メール管理サーバが、第１の端末へ第２の臨時カウントを発行すると共に、第１の端末から既存アカウントを取得する第６のステップと、
第２の臨時メール管理サーバが、第２の臨時アカウント及び既存アカウントを含むアカウント登録要求を、第２のメール管理サーバへ送信する第７のステップと、
第２のメール管理サーバが、第２の臨時アカウント及び既存アカウントを対応付けて登録する第８のステップと、
第２のメール管理サーバが、第２の臨時アカウント及び既存アカウントを含むアカウント登録要求を、第１のメール管理サーバへ送信する第９のステップと、
第１のメール管理サーバが、第２の端末から受信したメールについて、そのメールの宛先アドレスが既存アカウントと一致する場合、当該宛先アドレスを第２の臨時アカウントに変換し、第２のメール管理サーバへ送信する第１０のステップと、
第２のメール管理サーバが、第１のメール管理サーバから受信したメールを、第２の臨時メール管理サーバへ送信する第１１のステップと、
第２の臨時メール管理サーバが、受信したメールを蓄積する第１３のステップと
を有し、第１の端末が、既存アカウントに基づくメールを、第２の臨時アカウントを用いて、第２の臨時メール管理サーバから取得することも好ましい。
【００１９】
本発明のメール転送方法における他の実施形態によれば、
第６のステップについて、第２の臨時メール管理サーバが、第１の端末から、先の第１の臨時アカウントを更に取得し、
第７のステップについて、第２の臨時メール管理サーバが、第２のメール管理サーバへ送信するアカウント登録要求に、第１の臨時アカウントを更に含み、
第９のステップについて、第２のメール管理サーバが、第１の臨時アカウントに基づいて、その第１の臨時アカウントを発行した第１の臨時メール管理サーバと通信する第１のメール管理サーバを特定することも好ましい。
【００２０】
本発明のメール転送方法における他の実施形態によれば、第９のステップと第１０のステップとの間で、
第１のメール管理サーバが、第１の臨時メール管理サーバへ、アカウント削除要求を送信するステップと、
第１の臨時メール管理サーバが、第１の臨時アカウントを削除するステップと
を更に有することも好ましい。
【００２１】
本発明のメール転送方法における他の実施形態によれば、第１のステップ及び／又は第６のステップについて、臨時メール管理サーバは、第１の端末のＷＷＷ(World Wide Web)ブラウザに対して、Ｗｅｂページを送信することによって、臨時アカウントを発行し且つ既存アカウントを取得することも好ましい。
【００２２】
本発明によれば、端末間でメールを転送するメール転送システムであって、
臨時メール管理サーバ（ＰＯＰ(Post Office Protocol)）サーバ）及びメール管理サーバ（ＳＭＴＰ(Simple Mail Transfer Protocol)サーバ）を更に有し、
臨時メール管理サーバは、
端末へ第１の臨時カウントを発行すると共に、当該端末から既存アカウントを取得するアカウント取得手段と、
臨時アカウント及び既存アカウントを含むアカウント登録要求を、メール管理サーバへ送信する登録要求送信手段と、
メール管理サーバから受信したメールを蓄積するメール蓄積手段と、
端末に対して、臨時アカウントを用いて、既存アカウントに基づくメールを取得させるメール転送手段と
を有し、
メール管理サーバは、
アカウント登録要求を受信した際に、臨時アカウント及び既存アカウントを対応付けて登録するアカウント登録手段と、
第２の端末から受信したメールについて、そのメールの宛先アドレスが既存アカウントと一致する場合、当該宛先アドレスを臨時アカウントに変換するアカウント変換手段と、
アカウントが変換されたメールを転送するメール転送手段と
を有することを特徴とする。
【００２３】
本発明のメール転送システムにおける他の実施形態によれば、
メール管理サーバのアカウント変換手段は、第１の端末から受信したメールについて、そのメールの送信元アドレスが第１の臨時アカウントと一致する場合、当該送信元アドレスを既存アカウントに変換することも好ましい。
【００２４】
本発明のメール転送システムにおける他の実施形態によれば、
メール管理サーバは、
臨時アカウント及び既存アカウントを含むアカウント登録要求を、他のメール管理サーバへ送信するサーバ登録要求手段と、
端末から受信したメールについて、そのメールの宛先アドレスが既存アカウントと一致する場合、当該宛先アドレスを臨時アカウントに変換し、他のメール管理サーバへ送信するサーバメール転送手段と
を更に有することも好ましい。
【００２５】
本発明のメール転送システムにおける他の実施形態によれば、
臨時メール管理サーバのアカウント取得手段は、端末から、先の臨時アカウントを更に取得し、
臨時メール管理サーバの登録要求送信手段は、他のメール管理サーバへ送信するアカウント登録要求に、先の臨時アカウントを更に含み、
メール管理サーバは、先の臨時アカウントに基づいて、先の臨時アカウントを発行した臨時メール管理サーバと通信する他のメール管理サーバを特定する管理サーバ特定手段を更に有することも好ましい。
【００２６】
本発明のメール転送システムにおける他の実施形態によれば、
メール管理サーバは、他のメール管理サーバからアカウント登録要求を受信した際に、臨時メール管理サーバへ、アカウント削除要求を送信するアカウント削除要求送信手段を更に有し、
臨時メール管理サーバは、第１の臨時アカウントを削除するアカウント削除手段を更に有することも好ましい。
【００２７】
本発明のメール転送システムにおける他の実施形態によれば、臨時メール管理サーバのアカウント取得手段は、端末のＷＷＷブラウザに対して、Ｗｅｂページを送信することによって、臨時アカウントを発行し且つ既存アカウントを取得することも好ましい。
【発明の効果】
【００２８】
本発明のメール転送システム及び方法によれば、臨時に異なるメールサーバを設置することでき、その臨時アカウントが設定又は変更された場合であっても、ユーザ自身のアカウントの登録操作が容易となる。
【図面の簡単な説明】
【００２９】
【図１】従来技術におけるシステム構成図である。
【図２】本発明における第１のシステム構成図である。
【図３】図２におけるシーケンス図である。
【図４】本発明における第２のシステム構成図である。
【図５】図４におけるシーケンス図である。
【図６】本発明における臨時メール管理サーバ及びメール管理サーバの機能構成図である。
【発明を実施するための形態】
【００３０】
以下、本発明の実施の形態について、図面を用いて詳細に説明する。
【００３１】
図２は、本発明における第１のシステム構成図である。
【００３２】
図２によれば、図１と比較して、端末１Ａ側に、臨時メール管理サーバ５ａ及びメール管理サーバ６ａが備えられる。端末１Ａは、ゲートウェイ２Ａを介して、臨時メール管理サーバ５ａとの間でメールを送受信する。また、臨時メール管理サーバ５ａは、メール管理サーバ６ａとの間でメールを送受信する。更に、メール管理サーバ６ａは、宛先端末１Ｂ側のメールサーバ３ｂとの間で、メールを送受信する。
【００３３】
「臨時メール管理サーバ」は、例えば災害時の避難場所に急遽設置されるものであってもよく、ユーザ操作に基づく携帯電話機やノートパソコンのような端末に、メールを継続して利用させる装置である。このような緊急時には、既存使用のメールサーバがダウンしたり、特定のメールサーバに負荷が集中する場合がある。そのために、臨時メール管理サーバを急遽設置することによって、ユーザ操作に基づく端末からのメールの送受信を維持する。
【００３４】
ここで、送受信するメールアドレスのドメインが問題となる。本発明によれば、端末は、既存使用のＳＭＴＰサーバとは異なるサーバ（メール管理サーバ）へメールを転送しなければならない。そのために、臨時メール管理サーバは、既存アカウントとは異なる「臨時アカウント」を発行する。そして、端末は、送信元アドレスを臨時アカウントとしたメールを送信する。
【００３５】
また、「メール管理サーバ」は、臨時メール管理サーバから受信したメールについて、送信元アドレスの臨時アカウントを、既存アカウントに変換し、そのメールを更に転送する。これによって、そのメールは、宛先端末１Ｂ側のメールサーバ３ｂに受信され且つ蓄積される。
【００３６】
図３は、図２におけるシーケンス図である。
【００３７】
（Ｓ３０１）端末１Ａは、ゲートウェイ２Ａを介して、臨時メール管理サーバ５ａへ、臨時アカウント要求を送信する。これに対し、臨時メール管理サーバ５ａは、端末１Ａに対して臨時カウント（例えばxxx@kddi.com）を発行する。具体的には、ユーザＩＤ(yyy)、パスワード(??????)及びメールアドレス(xxx@kddi.com)が発行される。そして、臨時メール管理サーバ５ａは、その臨時アカウント(xxx@kddi.com)を、端末１Ａへ応答する。
【００３８】
（Ｓ３０２）次に、臨時メール管理サーバ５ａは、端末１Ａに対して、既存アカウント要求を送信する。これに対し、端末１Ａは、自動的に又はユーザ操作に基づいて、既存アカウント（例えばtasaka@auone.jp）を、臨時メール管理サーバ５ａへ応答する。このとき、既存アカウントに対応する認証情報も、その応答メッセージに含むことも好ましい。
【００３９】
Ｓ３０１及びＳ３０２は、臨時メール管理サーバ５ａが、端末１ＡのＷＷＷ(World Wide Web)ブラウザに対して、Ｗｅｂページを送信することによって、臨時アカウントを発行し且つ既存アカウントを取得するものであってもよい。
【００４０】
（Ｓ３０３）これによって、臨時メール管理サーバ５ａは、臨時アカウント及び既存アカウントを対応付けて登録する。
【００４１】
（Ｓ３０４）次に、臨時メール管理サーバ５ａは、ゲートウェイ２Ａを介して、臨時アカウント(xxx@kddi.com)及び既存アカウント(tasaka@auone.jp)を含むアカウント登録要求を、メール管理サーバ６ａへ送信する。
【００４２】
（Ｓ３０４）メール管理サーバ６ａは、アカウント登録要求を受信し、臨時アカウント及び既存アカウントを対応付けて登録する。
【００４３】
［端末１Ａにおけるメールの受信］
（Ｓ３１１）端末１Ｂが、端末１Ａへ向けてメールを送信したとする。メールの宛先アドレスは、端末１Ａの既存アカウント(tasaka@auone.jp)である。メールは、ゲートウェイ２Ｂを介して、メールサーバ３ｂによって受信される。メールサーバ３ｂは、そのメールをメール管理サーバ６ａへ転送する。
（Ｓ３１２）メール管理サーバ６ａは、端末１Ｂから受信したメールについて、そのメールの宛先アドレスが、登録された既存アカウントと一致するか否かを判定する。一致する場合、そのメールの宛先アドレスを臨時アカウント(xxx@kddi.com)に変換する。そして、メール管理サーバ６ａは、そのメールを、ゲートウェイ２Ａを介して、臨時メール管理サーバ５ａへ転送する。
（Ｓ３１３）臨時メール管理サーバ５ａは、受信したそのメールを蓄積する。
（Ｓ３１４）そして、端末１Ａは、既存アカウント(tasaka@auone.jp)に基づくメールを、臨時アカウント(xxx@kddi.com)を用いて、臨時メール管理サーバ５ａから取得する
【００４４】
［端末１Ａにおけるメールの送信］
（Ｓ３２１）端末１Ａは、端末１Ｂへ向けてメールを送信したとする。メールの送信元アドレスは、端末１Ａの臨時アカウント(xxx@kddi.com)である。メールは、ゲートウェイ２Ａを介して、臨時メール管理サーバ５ａへ送信される。
（Ｓ３２２）臨時メール管理サーバ５ａは、そのメールを、メール管理サーバ６ａへ転送する。
（Ｓ３２３）メール管理サーバ６ａは、端末１Ａから受信したメールについて、そのメールの送信元アドレスが、登録された臨時アカウントと一致するか否かを判定する。一致する場合、そのメールの送信元アドレスを既存アカウント(tasaka@auone.jp)に変換する。そして、メール管理サーバ６ａは、そのメールを、宛先アドレスへ向けて送信する。
（Ｓ３２４）そのメールは、メールサーバ３ｂによって受信され且つ蓄積される。
（Ｓ３２５）そして、端末１Ｂは、メールサーバ３ｂにアクセスし、既存アカウント(tasaka@auone.jp)に基づくメールを取得することができる。
【００４５】
図４は、本発明における第２のシステム構成図である。
【００４６】
図４によれば、図２と比較して、ユーザ操作に基づく端末１Ａが、異なるドメインへ移動している。このとき、先の臨時メール管理サーバ５ａ及びメール管理サーバ６ａには、未だ、先のアカウントの登録が残存している。
【００４７】
移動後の端末１Ａは、図２と同様に、新たなゲートウェイ２Ｃを介して、新たな臨時メール管理サーバ５ｃとの間でメールを送受信する。また、臨時メール管理サーバ５ｃは、メール管理サーバ６ｃとの間でメールを送受信する。更に、メール管理サーバ６ｃは、先のメール管理サーバ６ａを介して、宛先端末１Ｂ側のメールサーバ３ｂとの間で、メールを送受信する。
【００４８】
図５は、図４におけるシーケンス図である。
【００４９】
（Ｓ５０１）端末１Ａが、臨時メール管理サーバ５ａと通信可能な位置から、臨時メール管理サーバ５ｂと通信可能な位置へ移動したとする。
【００５０】
（Ｓ５１１）端末１Ａは、ゲートウェイ２Ｃを介して、臨時メール管理サーバ５ｃへ、臨時アカウント要求を送信する。これに対し、臨時メール管理サーバ５ｃは、端末１Ａに対して臨時カウント（例えばyyy@kddi.com）を発行する。そして、臨時メール管理サーバ５ｃは、その臨時アカウント(yyy@kddi.com)を、端末１Ａへ応答する。
【００５１】
（Ｓ５１２）次に、臨時メール管理サーバ５ｃは、端末１Ａに対して、既存アカウント要求を送信する。これに対し、端末１Ａは、自動的に又はユーザ操作に基づいて、既存アカウント（例えばtasaka@auone.jp）を、臨時メール管理サーバ５ｃへ応答する。
【００５２】
（Ｓ５１３）これによって、臨時メール管理サーバ５ｃは、臨時アカウント及び既存アカウントを対応付けて登録する。
【００５３】
（Ｓ５１４）次に、臨時メール管理サーバ５ｃは、ゲートウェイ２Ｃを介して、臨時アカウント(xxx@kddi.com)及び既存アカウント(tasaka@auone.jp)を含むアカウント登録要求を、メール管理サーバ６ｃへ送信する。
【００５４】
（Ｓ５１５）メール管理サーバ６ｃは、アカウント登録要求を受信し、臨時アカウント及び既存アカウントを対応付けて登録する。尚、メール管理サーバ６ｃから受信した旨（例えばメール管理サーバ６ｃのアドレス）も登録される。これによって、登録された臨時アカウント又は既存アカウントに一致するメールは、メール管理サーバ６ｃへ向けて送信されるように制御される。
【００５５】
（Ｓ５１６）メール管理サーバ６ｃは、臨時アカウント及び既存アカウントを含むアカウント登録要求を、メール管理サーバ６ａへ送信する。
【００５６】
ここで、メール管理サーバ６ｃが、メール管理サーバ６ａを特定するために、以下のステップを実行することも好ましい。
（ｓ１）Ｓ５１２で、臨時メール管理サーバ５ｃが、端末１Ａから、先の臨時アカウント(xxx.kddi.com)を更に取得する。
（ｓ２）Ｓ５１４で、臨時メール管理サーバ５ｃが、メール管理サーバ６ｃへ送信するアカウント登録要求に、先の臨時アカウント(xxx.kddi.com)を更に含める。
（ｓ３）Ｓ５１５で、メール管理サーバ６ｃが、先の臨時アカウント(xxx.kddi.com)に基づいて、その先の臨時アカウントを発行した臨時メール管理サーバ５ａと通信するメール管理サーバ６ａを特定する。
【００５７】
メール管理サーバ６ａは、アカウント登録要求を受信した際に、既存アカウントが既に登録されているか否かを確認する。既に登録されている場合、その既存アカウントに対応する臨時アカウントを更新する。例えば、xxx@kddi.comとtasaka@auone.jpとが対応付けられている場合、新規の臨時アカウントyyy@kddi.comに変更する。このとき、このアカウントに対応するメールは、メール管理サーバ６ｃへ転送するべく、メール管理サーバ６ｃのアドレスも登録する。
【００５８】
（Ｓ５１７）メール管理サーバ６ａは、アカウント登録要求を受信し、臨時アカウント及び既存アカウントを登録する。そして、メール管理サーバ６ａは、アカウント削除要求を、ゲートウェイ２Ａを介して、臨時メール管理サーバ５ａへ送信する。これによって臨時メール管理サーバ５ａは、先のアカウントを削除する。
【００５９】
（Ｓ５２１）端末１Ｂが、端末１Ａへ向けてメールを送信したとする。メールの宛先アドレスは、端末１Ａの既存アカウント(tasaka@auone.jp)である。メールは、ゲートウェイ２Ｂを介して、メールサーバ３ｂによって受信される。メールサーバ３ｂは、そのメールをメール管理サーバ６ａへ転送する。
【００６０】
（Ｓ５２２）メール管理サーバ６ａは、端末１Ｂから受信したメールについて、そのメールの宛先アドレスが既存アカウント(tasaka@auone.jp)と一致するか否かを判定する。一致する場合、そのメールをメール管理サーバ６ｃへ送信する。
【００６１】
（Ｓ５２３）メール管理サーバ６ｃは、メール管理サーバ６ａから受信したメールについて、そのメールの宛先アドレスが、登録された既存アカウントと一致するか否かを判定する。一致する場合、そのメールの宛先アドレス(tasaka@auone.jp)を臨時アカウント(yyy@kddi.com)に変換する。そして、メール管理サーバ６ｃは、そのメールを、ゲートウェイ２Ｃを介して、臨時メール管理サーバ５ｃへ転送する。
【００６２】
（Ｓ５２４）臨時メール管理サーバ５ｃは、受信したそのメールを蓄積する。
【００６３】
（Ｓ５２５）そして、端末１Ａは、既存アカウント(tasaka@auone.jp)に基づくメールを、臨時アカウント(yyy@kddi.com)を用いて、臨時メール管理サーバ５ｃから取得する。
【００６４】
図６は、本発明における臨時メール管理サーバ及びメール管理サーバの機能構成図である。
【００６５】
図６の臨時メール管理サーバ５によれば、通信インタフェース部５０と、アカウント取得部５１と、Ｗｅｂサーバ部５２と、アカウント登録部５３と、登録要求送信部５４と、メール蓄積部５５と、メール転送部５６と、アカウント削除部５７とを有する。これら機能構成部は、サーバに搭載されたコンピュータを機能させるプログラムを実行することによって実現される。
【００６６】
アカウント取得部５１は、端末へ臨時カウントを発行すると共に、当該端末から既存アカウントを取得する（図３のＳ３０１及びＳ３０２、図５のＳ５１１及びＳ５１２参照）。
【００６７】
Ｗｅｂサーバ部５２は、端末のＷＷＷブラウザに対して、アカウント取得部５１からのＷｅｂページを送信する。これによって、アカウント取得部５１は、端末に対して臨時アカウントを発行し且つ既存アカウントを取得する。
【００６８】
アカウント登録部５３は、アカウント取得部５１によって取得された臨時アカウント及び既存アカウントを登録する（図３のＳ３０３、図５のＳ５１３参照）。
【００６９】
登録要求送信部５４は、臨時アカウント及び既存アカウントを含むアカウント登録要求を、メール管理サーバへ送信する（図３のＳ３０４、図５のＳ５１４参照）。
【００７０】
メール蓄積部５５は、メール管理サーバ６から受信したメールを蓄積する（図３のＳ３１３、図５のＳ５２４参照）。
【００７１】
メール転送部５６は、端末に対して、臨時アカウントを用いて、既存アカウントに基づくメールを取得させる（図３のＳ３１４、図５のＳ５２５参照）。
【００７２】
アカウント削除部５７は、他のメール管理サーバからアカウント登録要求を受信した際に、先の臨時アカウントを削除する（図５のＳ５１７参照）。
【００７３】
図６の臨時メール管理サーバ６によれば、通信インタフェース部６０と、アカウント登録部６１と、アカウント変換部６２と、メール転送部６３と、サーバ登録要求部６４と、管理サーバ特定部６５と、サーバメール転送部６６と、アカウント削除要求部６７とを有する。これら機能構成部は、サーバに搭載されたコンピュータを機能させるプログラムを実行することによって実現される。
【００７４】
アカウント登録部６１は、アカウント登録要求を受信した際に、臨時アカウント及び既存アカウントを対応付けて登録する（図３のＳ３０５、図５のＳ５１５参照）。
【００７５】
アカウント変換部６２は、端末から受信したメールについて、そのメールの宛先アドレスが既存アカウントと一致する場合、当該宛先アドレスを臨時アカウントに変換する（図３のＳ３１２及び図５のＳ５２３参照）。また、端末から受信したメールについて、そのメールの送信元アドレスが臨時アカウントと一致する場合、当該送信元アドレスを既存アカウントに変換する（図３のＳ３２３参照）。
【００７６】
メール転送部６３は、アカウントが変換されたメールを転送する。
【００７７】
サーバ登録要求部６４は、臨時アカウント及び既存アカウントを含むアカウント登録要求を、他のメール管理サーバへ送信する（図５のＳ５１６参照）。
【００７８】
管理サーバ特定部６５は、先の臨時アカウントに基づいて、先の臨時アカウントを発行した臨時メール管理サーバと通信する他のメール管理サーバを特定する（図５のＳ５１６参照）。
【００７９】
サーバメール転送部６６は、端末から受信したメールについて、そのメールの宛先アドレスが既存アカウントと一致する場合、当該宛先アドレスを臨時アカウントに変換し、他のメール管理サーバへ送信する（図５のＳ５２２参照）。
【００８０】
アカウント削除要求部６７は、他のメール管理サーバからアカウント登録要求を受信した際に、臨時メール管理サーバへ、アカウント削除要求を送信する（図５のＳ５１７参照）。
【００８１】
以上、詳細に説明したように、本発明のメール転送システム及び方法によれば、臨時に異なるメールサーバを設置することでき、その臨時アカウントが設定又は変更された場合であっても、ユーザ自身のアカウントの登録操作が容易となる。
【００８２】
本発明によれば、臨時アカウントと既存アカウントとを、メール管理サーバで自動的に紐付け及び変換をすることができる。このとき、第三者は、送信先となる端末の臨時アカウントを意識することなく、既存アカウントを宛先アドレスとするメールを送信することができる。また、端末の移動によって、臨時メール管理サーバが変更された場合であっても、先のメール管理サーバと後のメール管理サーバとの間で、臨時アカウントが自動的に更新されると共に、端末が受信すべきメールは、移動後の臨時メール管理サーバによって自動的に蓄積される。更に、先のメール管理サーバにおける先の臨時アカウントも、ユーザ操作を要することなく自動的に削除される。
【００８３】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００８４】
１、１Ａ、１Ｂ  端末
２、２Ａ、２Ｂ、２Ｃ  ゲートウェイ
３、３ａ、３ｂ  メールサーバ
４  メールアドレス変換サーバ
５、５ａ、５ｃ  臨時メール管理サーバ
５０  通信インタフェース部
５１  アカウント取得部
５２  Ｗｅｂサーバ部
５３  アカウント登録部
５４  登録要求送信部
５５  メール蓄積部
５６  メール転送部
５７  アカウント削除部
６、６ａ、６ｃ  メール管理サーバ
６０  通信インタフェース部
６１  アカウント登録部
６２  アカウント変換部
６３  メール転送部
６４  サーバ登録要求部
６５  管理サーバ特定部
６６  サーバメール転送部
６７  アカウント削除要求部
【図１】
0005495983.tif 000002
【図２】
0005495983.tif 000003
【図３】
0005495983.tif 000004
【図４】
0005495983.tif 000005
【図５】
0005495983.tif 000006
【図６】
0005495983.tif 000007